(57)【要約】【課題】  煙草の取引を管理するのに好適な煙草取引管理システムを提供する。【解決手段】  煙草取引管理サーバ１００は、紙巻煙草１０の識別情報及びその取引者のユーザＩＤを携帯端末２００から受信し、受信した識別情報に係る紙巻煙草１０の譲渡ユーザ及び譲受ユーザに関する取引履歴であって受信した識別情報及びユーザＩＤを含む取引履歴を分散台帳記録部２４に登録する。また、携帯端末２００から識別情報を受信し、受信した識別情報に係る取引履歴を分散台帳記録部２４から取得し、取得した取引履歴に基づいて紙巻煙草１０の価値を算出する。紙巻煙草１０の価値は、携帯端末２００に表示される。【選択図】  図８
2020112916.tif 000002
【特許請求の範囲】
【請求項１】
識別情報が記録された煙草又はその容器の当該識別情報及び当該煙草の取引者に関する取引者情報を取得する識別情報等取得手段と、
前記識別情報等取得手段で取得した識別情報に係る煙草の譲渡者及び譲受者に関する取引履歴であって当該識別情報及び前記識別情報等取得手段で取得した取引者情報を含む取引履歴を記憶手段に登録する取引履歴登録手段とを備えることを特徴とする煙草取引管理システム。
【請求項２】
請求項１において、
前記識別情報を取得する識別情報取得手段と、
前記識別情報取得手段で取得した識別情報に係る前記取引履歴を前記記憶手段から取得する取引履歴取得手段と、
前記取引履歴取得手段で取得した取引履歴に基づいて前記煙草の価値を算出する価値算出手段とを備えることを特徴とする煙草取引管理システム。
【請求項３】
請求項１において、
前記識別情報を取得する識別情報取得手段と、
前記識別情報取得手段で取得した識別情報に係る前記取引履歴を前記記憶手段から取得する取引履歴取得手段と、
前記煙草の所有者に関する所有者情報を取得する所有者情報取得手段と、
前記取引履歴取得手段で取得した取引履歴及び前記所有者情報取得手段で取得した所有者情報に基づいて、前記煙草の所有者の適正を判定する所有者適正判定手段とを備えることを特徴とする煙草取引管理システム。
【請求項４】
請求項１において、
前記識別情報を取得する識別情報取得手段と、
前記識別情報取得手段で取得した識別情報に係る前記取引履歴を前記記憶手段から取得する取引履歴取得手段と、
前記取引履歴取得手段で取得した取引履歴に基づいて前記煙草の廃棄者を特定する廃棄者特定手段とを備えることを特徴とする煙草取引管理システム。
【請求項５】
識別情報を取得する識別情報取得手段と、
前記識別情報が記録された煙草又はその容器の当該識別情報に係る煙草の譲渡者及び譲受者に関する取引履歴であって当該識別情報及び当該煙草の取引者に関する取引者情報を含む取引履歴を記憶する記憶手段から、前記識別情報取得手段で取得した識別情報に係る前記取引履歴を取得する取引履歴取得手段と、
前記取引履歴取得手段で取得した取引履歴に基づいて前記煙草の価値を算出する価値算出手段とを備えることを特徴とする煙草取引管理システム。
【請求項６】
識別情報を取得する識別情報取得手段と、
前記識別情報が記録された煙草又はその容器の当該識別情報に係る煙草の譲渡者及び譲受者に関する取引履歴であって当該識別情報及び当該煙草の取引者に関する取引者情報を含む取引履歴を記憶する記憶手段から、前記識別情報取得手段で取得した識別情報に係る前記取引履歴を取得する取引履歴取得手段と、
前記煙草の所有者に関する所有者情報を取得する所有者情報取得手段と、
前記取引履歴取得手段で取得した取引履歴及び前記所有者情報取得手段で取得した所有者情報に基づいて、前記煙草の所有者の適正を判定する所有者適正判定手段とを備えることを特徴とする煙草取引管理システム。
【請求項７】
識別情報を取得する識別情報取得手段と、
前記識別情報が記録された煙草又はその容器の当該識別情報に係る煙草の譲渡者及び譲受者に関する取引履歴であって当該識別情報及び当該煙草の取引者に関する取引者情報を含む取引履歴を記憶する記憶手段から、前記識別情報取得手段で取得した識別情報に係る前記取引履歴を取得する取引履歴取得手段と、
前記取引履歴取得手段で取得した取引履歴に基づいて前記煙草の廃棄者を特定する廃棄者特定手段とを備えることを特徴とする煙草取引管理システム。
【請求項８】
請求項１乃至７のいずれか１項において、
前記記憶手段は、分散台帳であることを特徴とする煙草取引管理システム。
【請求項９】
請求項１乃至８のいずれか１項において、
前記識別情報は、前記容器に収容される一部の煙草に記録されることを特徴とする煙草取引管理システム。
【請求項１０】
請求項１乃至９のいずれか１項において、
前記識別情報は、市場に出荷される煙草のうち所定規則で選択された煙草に記録されることを特徴とする煙草取引管理システム。
【請求項１１】
請求項１乃至４のいずれか１項に記載の煙草取引管理システムに適用される取引者端末であって、
前記煙草又はその容器から前記識別情報を取得する識別情報取得手段と、
前記識別情報取得手段で取得した識別情報及び前記煙草の取引者に関する取引者情報を前記識別情報等取得手段が取得可能に出力する識別情報等出力手段とを備えることを特徴とする取引者端末。
【請求項１２】
請求項１乃至４のいずれか１項において、
譲渡者が利用する譲渡者端末と、譲受者が利用する譲受者端末とを通信可能に接続し、
前記譲渡者端末は、
前記煙草の譲渡について承認を行う承認手段を有し、
前記譲受者端末は、
前記煙草又はその容器から前記識別情報を取得する識別情報取得手段と、
前記識別情報取得手段で取得した識別情報及び前記譲受者を取引者とする前記取引者情報を前記識別情報等取得手段が取得可能に出力する識別情報等出力手段とを有し、
前記譲渡者端末の承認が得られた場合に前記取引履歴が登録されることを特徴とする煙草取引管理システム。
【請求項１３】
請求項１２において、
前記識別情報等出力手段は、前記譲渡者端末の承認が得られた場合は前記識別情報及び前記取引者情報を出力することを特徴とする煙草取引管理システム。
【請求項１４】
請求項１２において、
前記取引履歴登録手段は、前記譲渡者端末の承認が得られた場合は前記取引履歴を登録することを特徴とする煙草取引管理システム。
【請求項１５】
請求項１２乃至１４のいずれか１項に記載の煙草取引管理システムに適用される譲渡者端末であって、
前記煙草の譲渡について承認を行う承認手段を備えることを特徴とする譲渡者端末。
【請求項１６】
請求項１２乃至１４のいずれか１項に記載の煙草取引管理システムに適用される譲受者端末であって、
前記煙草又はその容器から前記識別情報を取得する識別情報取得手段と、
前記識別情報取得手段で取得した識別情報及び前記譲受者を取引者とする前記取引者情報を前記識別情報等取得手段が取得可能に出力する識別情報等出力手段とを備えることを特徴とする譲受者端末。
【請求項１７】
請求項１乃至４のいずれか１項に記載の煙草取引管理システムに適用される煙草又はその容器であって、
当該煙草の取引者に関する取引者情報を取得する取引者情報取得手段と、
当該煙草の識別情報及び前記取引者情報取得手段で取得した取引者情報を前記識別情報等取得手段が取得可能に出力する識別情報等出力手段とを備えることを特徴とする煙草又はその容器。
【請求項１８】
請求項１乃至４のいずれか１項に記載の煙草取引管理システムに適用される取引管理装置であって、
前記煙草又はその容器から前記識別情報を取得する識別情報取得手段と、
前記煙草の取引者に関する取引者情報を取得する取引者情報取得手段と、
前記識別情報取得手段で取得した識別情報及び前記取引者情報取得手段で取得した取引者情報を前記識別情報等取得手段が取得可能に出力する識別情報等出力手段とを備えることを特徴とする取引管理装置。
【請求項１９】
識別情報が記録された煙草又はその容器の当該識別情報及び当該煙草の取引者に関する取引者情報を取得する識別情報等取得ステップと、
前記識別情報等取得ステップで取得した識別情報に係る煙草の譲渡者及び譲受者に関する取引履歴であって当該識別情報及び前記識別情報等取得ステップで取得した取引者情報を含む取引履歴を記憶手段に登録する取引履歴登録ステップとを含む処理をコンピュータに実行させるためのプログラムであることを特徴とする煙草取引管理プログラム。
【請求項２０】
識別情報を取得する識別情報取得ステップと、
前記識別情報が記録された煙草又はその容器の当該識別情報に係る煙草の譲渡者及び譲受者に関する取引履歴であって当該識別情報及び当該煙草の取引者に関する取引者情報を含む取引履歴を記憶する記憶手段から、前記識別情報取得ステップで取得した識別情報に係る前記取引履歴を取得する取引履歴取得ステップと、
前記取引履歴取得ステップで取得した取引履歴に基づいて前記煙草の価値を算出する価値算出ステップとを含む処理をコンピュータに実行させるためのプログラムであることを特徴とする煙草取引管理プログラム。
【請求項２１】
識別情報を取得する識別情報取得ステップと、
前記識別情報が記録された煙草又はその容器の当該識別情報に係る煙草の譲渡者及び譲受者に関する取引履歴であって当該識別情報及び当該煙草の取引者に関する取引者情報を含む取引履歴を記憶する記憶手段から、前記識別情報取得ステップで取得した識別情報に係る前記取引履歴を取得する取引履歴取得ステップと、
前記煙草の所有者に関する所有者情報を取得する所有者情報取得ステップと、
前記取引履歴取得ステップで取得した取引履歴及び前記所有者情報取得ステップで取得した所有者情報に基づいて、前記煙草の所有者の適正を判定する所有者適正判定ステップとを含む処理をコンピュータに実行させるためのプログラムであることを特徴とする煙草取引管理プログラム。
【請求項２２】
識別情報を取得する識別情報取得ステップと、
前記識別情報が記録された煙草又はその容器の当該識別情報に係る煙草の譲渡者及び譲受者に関する取引履歴であって当該識別情報及び当該煙草の取引者に関する取引者情報を含む取引履歴を記憶する記憶手段から、前記識別情報取得ステップで取得した識別情報に係る前記取引履歴を取得する取引履歴取得ステップと、
前記取引履歴取得ステップで取得した取引履歴に基づいて前記煙草の廃棄者を特定する廃棄者特定ステップとを含む処理をコンピュータに実行させるためのプログラムであることを特徴とする煙草取引管理プログラム。
【請求項２３】
請求項１１記載の取引者端末に適用されるプログラムであって、
前記煙草又はその容器から前記識別情報を取得する識別情報取得ステップと、
前記識別情報取得ステップで取得した識別情報及び前記煙草の取引者に関する取引者情報を前記識別情報等取得ステップが取得可能に出力する識別情報等出力ステップとを含む処理をコンピュータに実行させるためのプログラムであることを特徴とする取引者端末用プログラム。
【請求項２４】
請求項１５記載の譲渡者端末に適用されるプログラムであって、
前記煙草の譲渡について承認を行う承認ステップを含む処理をコンピュータに実行させるためのプログラムであることを特徴とする譲渡者端末用プログラム。
【請求項２５】
請求項１６記載の譲受者端末に適用されるプログラムであって、
前記煙草又はその容器から前記識別情報を取得する識別情報取得ステップと、
前記識別情報取得ステップで取得した識別情報及び前記譲受者を取引者とする前記取引者情報を前記識別情報等取得ステップが取得可能に出力する識別情報等出力ステップとを含む処理をコンピュータに実行させるためのプログラムであることを特徴とする譲受者端末用プログラム。
【請求項２６】
請求項１７記載の煙草又はその容器に適用されるプログラムであって、
当該煙草の取引者に関する取引者情報を取得する取引者情報取得ステップと、
当該煙草の識別情報及び前記取引者情報取得ステップで取得した取引者情報を前記識別情報等取得ステップが取得可能に出力する識別情報等出力ステップとを含む処理をコンピュータに実行させるためのプログラムであることを特徴とする煙草又はその容器用プログラム。
【請求項２７】
請求項１８記載の取引管理装置に適用されるプログラムであって、
前記煙草又はその容器から前記識別情報を取得する識別情報取得ステップと、
前記煙草の取引者に関する取引者情報を取得する取引者情報取得ステップと、
前記識別情報取得ステップで取得した識別情報及び前記取引者情報取得ステップで取得した取引者情報を前記識別情報等取得ステップが取得可能に出力する識別情報等出力ステップとを含む処理をコンピュータに実行させるためのプログラムであることを特徴とする取引管理装置用プログラム。
【請求項２８】
請求項１乃至１０のいずれか１項に記載の煙草取引管理システムで用いられる前記識別情報を、前記容器に収容される一部の煙草に記録するステップを含むことを特徴とする煙草の生産方法。
【請求項２９】
請求項１乃至１０のいずれか１項に記載の煙草取引管理システムで用いられる前記識別情報を、市場に出荷される煙草のうち所定規則で選択された煙草に記録するステップを含むことを特徴とする煙草の生産方法。
【請求項３０】
記憶手段を備える煙草又はその容器の当該記憶手段に、当該煙草の取引者に関する取引者情報を含む取引履歴を登録する取引履歴登録手段を備えることを特徴とする煙草取引管理システム。
【請求項３１】
記憶手段と、
当該煙草の取引者に関する取引者情報を取得する取引者情報取得手段と、
前記取引者情報取得手段で取得した取引者情報を含む取引履歴を前記記憶手段に登録する取引履歴登録手段とを備えることを特徴とする煙草又はその容器。
【発明の詳細な説明】
【技術分野】
【０００１】
本発明は、煙草の取引を管理する技術に係り、特に、煙草の取引を管理するのに好適な煙草取引管理システム、取引者端末、譲渡者端末、譲受者端末、取引管理装置、煙草又はその容器、及び煙草取引管理プログラム、取引者端末用プログラム、譲渡者端末用プログラム、譲受者端末用プログラム、取引管理装置用プログラム、煙草又はその容器用プログラム、並びに煙草の生産方法に関する。
【背景技術】
【０００２】
特許文献１記載の技術は、紙巻煙草を識別するための煙草個体特定情報を有する紙巻煙草と、紙巻煙草の購入者の個人情報と前記煙草個体特定情報を関連付けて煙草個体情報管理部に登録することにより、紙巻煙草の購入者を特定し、購入者が紙巻煙草を投棄した際に、煙草個体特定情報に基づいて購入者を特定する。
【０００３】
特許文献２記載の技術は、煙草購入者を識別する個人識別情報と、個人識別情報と煙草を識別する物品識別情報とを対応づけて記憶する販売物データベースを有するサーバ、煙草購入者の個人識別情報を取得し個人識別情報及び個人識別情報により特定される煙草購入者に販売される物品の物品識別情報をネットワークを介してサーバに送信する煙草自動販売機、及び廃棄された煙草の物品識別情報を読み取り物品識別情報をネットワークを介してサーバに送信する路上灰皿を備え、サーバは、販売物データベースに記憶されている物品識別情報と路上灰皿から送られてきた物品識別情報とを照合する照合部を備える。
【先行技術文献】
【特許文献】
【０００４】
【特許文献１】特開２００９−１８７４３２号公報
【特許文献２】特開２００８−１９２１２１号公報
【発明の概要】
【発明が解決しようとする課題】
【０００５】
しかしながら、特許文献１、２記載の技術にあってはいずれも、煙草の購入者が他者に煙草を譲渡し、その譲受者が煙草を廃棄した場合、譲渡者ではなく購入者が廃棄者として特定されてしまうという問題があった。すなわち、煙草が誰から誰に譲渡されたのかを把握することができない。
【０００６】
そこで、本発明は、このような従来の技術の有する未解決の課題に着目してなされたものであって、煙草の取引を管理するのに好適な煙草取引管理システム、取引者端末、譲渡者端末、譲受者端末、取引管理装置、煙草又はその容器、及び煙草取引管理プログラム、取引者端末用プログラム、譲渡者端末用プログラム、譲受者端末用プログラム、取引管理装置用プログラム、煙草又はその容器用プログラム、並びに煙草の生産方法を提供することを目的としている。
【課題を解決するための手段】
【０００７】
〔発明１〕  上記目的を達成するために、発明１の煙草取引管理システムは、識別情報が記録された煙草又はその容器の当該識別情報及び当該煙草の取引者に関する取引者情報を取得する識別情報等取得手段と、前記識別情報等取得手段で取得した識別情報に係る煙草の譲渡者及び譲受者に関する取引履歴であって当該識別情報及び前記識別情報等取得手段で取得した取引者情報を含む取引履歴を記憶手段に登録する取引履歴登録手段とを備える。
【０００８】
ここで、煙草としては、例えば、紙巻煙草、葉巻、パイプ、キセル、水煙草、無煙煙草、加熱式煙草及び電子煙草が含まれる。以下の発明においても同様である。
【０００９】
また、取引者、譲渡者及び譲受者には、自然人及び法人が含まれる。取引者には、譲渡者、譲受者、媒介者、代理者その他煙草の取引に関与した者が含まれる。以下の発明においても同様である。
【００１０】
また、取引者情報は、例えば、取引者を識別するための情報（例えば、名称、番号、ＩＤ、コード、ＵＲＬ等のリンク情報）として構成することができる。また、取引者情報は、例えば、文字、数字、図形、符合、記号、画像、音声その他の情報として構成することができる。また、取引者情報は、取引者に関するキーワード（例えば、取引者の氏名又は名称の一部を示す１又は複数のキーワード）として構成することができる。以下の発明においても同様である。
【００１１】
また、識別情報等取得手段は、例えば、入力装置等から識別情報等を入力してもよいし、外部の端末等から識別情報等を獲得又は受信してもよいし、記憶装置や記憶媒体等から識別情報等を読み出してもよいし、情報処理等により識別情報等を生成し又は算出してもよい。したがって、取得には、少なくとも入力、獲得、受信、読出（検索を含む。）、生成及び算出が含まれる。以下、取得の概念については同じである。
【００１２】
また、記憶手段は、取引履歴をあらゆる手段で且つあらゆる時期に記憶するものであり、取引履歴を予め記憶してあるものであってもよいし、取引履歴を予め記憶することなく、本システムの動作時に外部からの入力等によって取引履歴を記憶するようになっていてもよい。以下の発明においても同様である。
【００１３】
また、本システムは、単一の装置、端末その他の機器として実現するようにしてもよいし、複数の装置、端末その他の機器を通信可能に接続したネットワークシステムとして実現するようにしてもよい。後者の場合、各構成要素は、それぞれ通信可能に接続されていれば、複数の機器等のうちいずれに属していてもよい。以下の発明においても同様である。
【００１４】
〔発明２〕  さらに、発明２の煙草取引管理システムは、発明１の煙草取引管理システムにおいて、前記識別情報を取得する識別情報取得手段と、前記識別情報取得手段で取得した識別情報に係る前記取引履歴を前記記憶手段から取得する取引履歴取得手段と、前記取引履歴取得手段で取得した取引履歴に基づいて前記煙草の価値を算出する価値算出手段とを備える。
【００１５】
〔発明３〕  さらに、発明３の煙草取引管理システムは、発明１の煙草取引管理システムにおいて、前記識別情報を取得する識別情報取得手段と、前記識別情報取得手段で取得した識別情報に係る前記取引履歴を前記記憶手段から取得する取引履歴取得手段と、前記煙草の所有者に関する所有者情報を取得する所有者情報取得手段と、前記取引履歴取得手段で取得した取引履歴及び前記所有者情報取得手段で取得した所有者情報に基づいて、前記煙草の所有者の適正を判定する所有者適正判定手段とを備える。
【００１６】
ここで、所有者情報は、例えば、所有者を識別するための情報（例えば、名称、番号、ＩＤ、コード、ＵＲＬ等のリンク情報）として構成することができる。また、所有者情報は、例えば、文字、数字、図形、符合、記号、画像、音声その他の情報として構成することができる。また、所有者情報は、所有者に関するキーワード（例えば、所有者の氏名又は名称の一部を示す１又は複数のキーワード）として構成することができる。以下の発明においても同様である。
【００１７】
〔発明４〕  さらに、発明４の煙草取引管理システムは、発明１の煙草取引管理システムにおいて、前記識別情報を取得する識別情報取得手段と、前記識別情報取得手段で取得した識別情報に係る前記取引履歴を前記記憶手段から取得する取引履歴取得手段と、前記取引履歴取得手段で取得した取引履歴に基づいて前記煙草の廃棄者を特定する廃棄者特定手段とを備える。
【００１８】
〔発明５〕  さらに、発明５の煙草取引管理システムは、識別情報を取得する識別情報取得手段と、前記識別情報が記録された煙草又はその容器の当該識別情報に係る煙草の譲渡者及び譲受者に関する取引履歴であって当該識別情報及び当該煙草の取引者に関する取引者情報を含む取引履歴を記憶する記憶手段から、前記識別情報取得手段で取得した識別情報に係る前記取引履歴を取得する取引履歴取得手段と、前記取引履歴取得手段で取得した取引履歴に基づいて前記煙草の価値を算出する価値算出手段とを備える。
【００１９】
〔発明６〕  さらに、発明６の煙草取引管理システムは、識別情報を取得する識別情報取得手段と、前記識別情報が記録された煙草又はその容器の当該識別情報に係る煙草の譲渡者及び譲受者に関する取引履歴であって当該識別情報及び当該煙草の取引者に関する取引者情報を含む取引履歴を記憶する記憶手段から、前記識別情報取得手段で取得した識別情報に係る前記取引履歴を取得する取引履歴取得手段と、前記煙草の所有者に関する所有者情報を取得する所有者情報取得手段と、前記取引履歴取得手段で取得した取引履歴及び前記所有者情報取得手段で取得した所有者情報に基づいて、前記煙草の所有者の適正を判定する所有者適正判定手段とを備える。
【００２０】
〔発明７〕  さらに、発明７の煙草取引管理システムは、識別情報を取得する識別情報取得手段と、前記識別情報が記録された煙草又はその容器の当該識別情報に係る煙草の譲渡者及び譲受者に関する取引履歴であって当該識別情報及び当該煙草の取引者に関する取引者情報を含む取引履歴を記憶する記憶手段から、前記識別情報取得手段で取得した識別情報に係る前記取引履歴を取得する取引履歴取得手段と、前記取引履歴取得手段で取得した取引履歴に基づいて前記煙草の廃棄者を特定する廃棄者特定手段とを備える。
【００２１】
〔発明８〕  さらに、発明８の煙草取引管理システムは、発明１乃至７のいずれか１の煙草取引管理システムにおいて、前記記憶手段は、分散台帳である。
【００２２】
〔発明９〕  さらに、発明９の煙草取引管理システムは、発明１乃至８のいずれか１の煙草取引管理システムにおいて、前記識別情報は、前記容器に収容される一部の煙草に記録される。
【００２３】
〔発明１０〕  さらに、発明１０の煙草取引管理システムは、発明１乃至９のいずれか１の煙草取引管理システムにおいて、前記識別情報は、市場に出荷される煙草のうち所定規則で選択された煙草に記録される。
【００２４】
〔発明１１〕  一方、上記目的を達成するために、発明１１の取引者端末は、発明１乃至４のいずれか１の煙草取引管理システムに適用される取引者端末であって、前記煙草又はその容器から前記識別情報を取得する識別情報取得手段と、前記識別情報取得手段で取得した識別情報及び前記煙草の取引者に関する取引者情報を前記識別情報等取得手段が取得可能に出力する識別情報等出力手段とを備える。
【００２５】
〔発明１２〕  一方、上記目的を達成するために、発明１２の煙草取引管理システムは、発明１乃至４のいずれか１の煙草取引管理システムにおいて、譲渡者が利用する譲渡者端末と、譲受者が利用する譲受者端末とを通信可能に接続し、前記譲渡者端末は、前記煙草の譲渡について承認を行う承認手段を有し、前記譲受者端末は、前記煙草又はその容器から前記識別情報を取得する識別情報取得手段と、前記識別情報取得手段で取得した識別情報及び前記譲受者を取引者とする前記取引者情報を前記識別情報等取得手段が取得可能に出力する識別情報等出力手段とを有し、前記譲渡者端末の承認が得られた場合に前記取引履歴が登録される。
【００２６】
〔発明１３〕  さらに、発明１３の煙草取引管理システムは、発明１２の煙草取引管理システムにおいて、前記識別情報等出力手段は、前記譲渡者端末の承認が得られた場合は前記識別情報及び前記取引者情報を出力する。
【００２７】
〔発明１４〕  さらに、発明１４の煙草取引管理システムは、発明１２の煙草取引管理システムにおいて、前記取引履歴登録手段は、前記譲渡者端末の承認が得られた場合は前記取引履歴を登録する。
【００２８】
〔発明１５〕  一方、上記目的を達成するために、発明１５の譲渡者端末は、発明１２乃至１４のいずれか１の煙草取引管理システムに適用される譲渡者端末であって、前記煙草の譲渡について承認を行う承認手段を備える。
【００２９】
〔発明１６〕  一方、上記目的を達成するために、発明１６の譲受者端末は、発明１２乃至１４のいずれか１の煙草取引管理システムに適用される譲受者端末であって、前記煙草又はその容器から前記識別情報を取得する識別情報取得手段と、前記識別情報取得手段で取得した識別情報及び前記譲受者を取引者とする前記取引者情報を前記識別情報等取得手段が取得可能に出力する識別情報等出力手段とを備える。
【００３０】
〔発明１７〕  一方、上記目的を達成するために、発明１７の煙草又はその容器は、発明１乃至４のいずれか１の煙草取引管理システムに適用される煙草又はその容器であって、当該煙草の取引者に関する取引者情報を取得する取引者情報取得手段と、当該煙草の識別情報及び前記取引者情報取得手段で取得した取引者情報を前記識別情報等取得手段が取得可能に出力する識別情報等出力手段とを備える。
【００３１】
〔発明１８〕  一方、上記目的を達成するために、発明１８の取引管理装置は、発明１乃至４のいずれか１の煙草取引管理システムに適用される取引管理装置であって、前記煙草又はその容器から前記識別情報を取得する識別情報取得手段と、前記煙草の取引者に関する取引者情報を取得する取引者情報取得手段と、前記識別情報取得手段で取得した識別情報及び前記取引者情報取得手段で取得した取引者情報を前記識別情報等取得手段が取得可能に出力する識別情報等出力手段とを備える。
【００３２】
〔発明１９〕  一方、上記目的を達成するために、発明１９の煙草取引管理プログラムは、識別情報が記録された煙草又はその容器の当該識別情報及び当該煙草の取引者に関する取引者情報を取得する識別情報等取得ステップと、前記識別情報等取得ステップで取得した識別情報に係る煙草の譲渡者及び譲受者に関する取引履歴であって当該識別情報及び前記識別情報等取得ステップで取得した取引者情報を含む取引履歴を記憶手段に登録する取引履歴登録ステップとを含む処理をコンピュータに実行させるためのプログラムである。
【００３３】
〔発明２０〕  さらに、発明２０の煙草取引管理プログラムは、識別情報を取得する識別情報取得ステップと、前記識別情報が記録された煙草又はその容器の当該識別情報に係る煙草の譲渡者及び譲受者に関する取引履歴であって当該識別情報及び当該煙草の取引者に関する取引者情報を含む取引履歴を記憶する記憶手段から、前記識別情報取得ステップで取得した識別情報に係る前記取引履歴を取得する取引履歴取得ステップと、前記取引履歴取得ステップで取得した取引履歴に基づいて前記煙草の価値を算出する価値算出ステップとを含む処理をコンピュータに実行させるためのプログラムである。
【００３４】
〔発明２１〕  さらに、発明２１の煙草取引管理プログラムは、識別情報を取得する識別情報取得ステップと、前記識別情報が記録された煙草又はその容器の当該識別情報に係る煙草の譲渡者及び譲受者に関する取引履歴であって当該識別情報及び当該煙草の取引者に関する取引者情報を含む取引履歴を記憶する記憶手段から、前記識別情報取得ステップで取得した識別情報に係る前記取引履歴を取得する取引履歴取得ステップと、前記煙草の所有者に関する所有者情報を取得する所有者情報取得ステップと、前記取引履歴取得ステップで取得した取引履歴及び前記所有者情報取得ステップで取得した所有者情報に基づいて、前記煙草の所有者の適正を判定する所有者適正判定ステップとを含む処理をコンピュータに実行させるためのプログラムである。
【００３５】
〔発明２２〕  さらに、発明２２の煙草取引管理プログラムは、識別情報を取得する識別情報取得ステップと、前記識別情報が記録された煙草又はその容器の当該識別情報に係る煙草の譲渡者及び譲受者に関する取引履歴であって当該識別情報及び当該煙草の取引者に関する取引者情報を含む取引履歴を記憶する記憶手段から、前記識別情報取得ステップで取得した識別情報に係る前記取引履歴を取得する取引履歴取得ステップと、前記取引履歴取得ステップで取得した取引履歴に基づいて前記煙草の廃棄者を特定する廃棄者特定ステップとを含む処理をコンピュータに実行させるためのプログラムである。
【００３６】
〔発明２３〕  一方、上記目的を達成するために、発明２３の取引者端末用プログラムは、発明１１の取引者端末に適用されるプログラムであって、前記煙草又はその容器から前記識別情報を取得する識別情報取得ステップと、前記識別情報取得ステップで取得した識別情報及び前記煙草の取引者に関する取引者情報を前記識別情報等取得ステップが取得可能に出力する識別情報等出力ステップとを含む処理をコンピュータに実行させるためのプログラムである。
【００３７】
〔発明２４〕  一方、上記目的を達成するために、発明２４の譲渡者端末用プログラムは、発明１５の譲渡者端末に適用されるプログラムであって、前記煙草の譲渡について承認を行う承認ステップを含む処理をコンピュータに実行させるためのプログラムである。
【００３８】
〔発明２５〕  一方、上記目的を達成するために、発明２５の譲受者端末用プログラムは、発明１６の譲受者端末に適用されるプログラムであって、前記煙草又はその容器から前記識別情報を取得する識別情報取得ステップと、前記識別情報取得ステップで取得した識別情報及び前記譲受者を取引者とする前記取引者情報を前記識別情報等取得ステップが取得可能に出力する識別情報等出力ステップとを含む処理をコンピュータに実行させるためのプログラムである。
【００３９】
〔発明２６〕  一方、上記目的を達成するために、発明２６の煙草又はその容器用プログラムは、発明１７の煙草又はその容器に適用されるプログラムであって、当該煙草の取引者に関する取引者情報を取得する取引者情報取得ステップと、当該煙草の識別情報及び前記取引者情報取得ステップで取得した取引者情報を前記識別情報等取得ステップが取得可能に出力する識別情報等出力ステップとを含む処理をコンピュータに実行させるためのプログラムである。
【００４０】
〔発明２７〕  一方、上記目的を達成するために、発明２７の取引管理装置用プログラムは、発明１８の取引管理装置に適用されるプログラムであって、前記煙草又はその容器から前記識別情報を取得する識別情報取得ステップと、前記煙草の取引者に関する取引者情報を取得する取引者情報取得ステップと、前記識別情報取得ステップで取得した識別情報及び前記取引者情報取得ステップで取得した取引者情報を前記識別情報等取得ステップが取得可能に出力する識別情報等出力ステップとを含む処理をコンピュータに実行させるためのプログラムである。
【００４１】
〔発明２８〕  一方、上記目的を達成するために、発明２８の煙草の生産方法は、発明１乃至１０のいずれか１の煙草取引管理システムで用いられる前記識別情報を、前記容器に収容される一部の煙草に記録するステップを含む。
【００４２】
〔発明２９〕  さらに、発明２９の煙草の生産方法は、発明１乃至１０のいずれか１の煙草取引管理システムで用いられる前記識別情報を、市場に出荷される煙草のうち所定規則で選択された煙草に記録するステップを含む。
【００４３】
〔発明３０〕  一方、上記目的を達成するために、発明３０の煙草取引管理システムは、記憶手段を備える煙草又はその容器の当該記憶手段に、当該煙草の取引者に関する取引者情報を含む取引履歴を登録する取引履歴登録手段を備える。
【００４４】
〔発明３１〕  さらに、発明３１の煙草取引管理システムは、煙草の取引者に関する取引者情報を含む取引履歴を記憶する記憶手段を備える煙草又はその容器の当該記憶手段から前記取引履歴を取得する取引履歴取得手段と、前記取引履歴取得手段で取得した取引履歴に基づいて前記煙草の価値を算出する価値算出手段とを備える。
【００４５】
〔発明３２〕  さらに、発明３２の煙草取引管理システムは、煙草の取引者に関する取引者情報を含む取引履歴を記憶する記憶手段を備える煙草又はその容器の当該記憶手段から前記取引履歴を取得する取引履歴取得手段と、前記煙草の所有者に関する所有者情報を取得する所有者情報取得手段と、前記取引履歴取得手段で取得した取引履歴及び前記所有者情報取得手段で取得した所有者情報に基づいて、前記煙草の所有者の適正を判定する所有者適正判定手段とを備える。
【００４６】
〔発明３３〕  さらに、発明３３の煙草取引管理システムは、煙草の取引者に関する取引者情報を含む取引履歴を記憶する記憶手段を備える煙草又はその容器の当該記憶手段から前記取引履歴を取得する取引履歴取得手段と、前記取引履歴取得手段で取得した取引履歴に基づいて前記煙草の廃棄者を特定する廃棄者特定手段とを備える。
【００４７】
〔発明３４〕  一方、上記目的を達成するために、発明３４の煙草取引管理プログラムは、記憶手段を備える煙草又はその容器の当該記憶手段に、当該煙草の取引者に関する取引者情報を含む取引履歴を登録する取引履歴登録ステップを含む処理をコンピュータに実行させるためのプログラムである。
【００４８】
〔発明３５〕  さらに、発明３５の煙草取引管理プログラムは、煙草の取引者に関する取引者情報を含む取引履歴を記憶する記憶手段を備える煙草又はその容器の当該記憶手段から前記取引履歴を取得する取引履歴取得ステップと、前記取引履歴取得ステップで取得した取引履歴に基づいて前記煙草の価値を算出する価値算出ステップとを含む処理をコンピュータに実行させるためのプログラムである。
【００４９】
〔発明３６〕  さらに、発明３６の煙草取引管理プログラムは、煙草の取引者に関する取引者情報を含む取引履歴を記憶する記憶手段を備える煙草又はその容器の当該記憶手段から前記取引履歴を取得する取引履歴取得ステップと、前記煙草の所有者に関する所有者情報を取得する所有者情報取得ステップと、前記取引履歴取得ステップで取得した取引履歴及び前記所有者情報取得ステップで取得した所有者情報に基づいて、前記煙草の所有者の適正を判定する所有者適正判定ステップとを含む処理をコンピュータに実行させるためのプログラムである。
【００５０】
〔発明３７〕  さらに、発明３７の煙草取引管理プログラムは、煙草の取引者に関する取引者情報を含む取引履歴を記憶する記憶手段を備える煙草又はその容器の当該記憶手段から前記取引履歴を取得する取引履歴取得ステップと、前記取引履歴取得ステップで取得した取引履歴に基づいて前記煙草の廃棄者を特定する廃棄者特定ステップとを含む処理をコンピュータに実行させるためのプログラムである。
【００５１】
〔発明３８〕  一方、上記目的を達成するために、発明３８の煙草又はその容器は、記憶手段と、当該煙草の取引者に関する取引者情報を取得する取引者情報取得手段と、前記取引者情報取得手段で取得した取引者情報を含む取引履歴を前記記憶手段に登録する取引履歴登録手段とを備える。
【００５２】
〔発明３９〕  一方、上記目的を達成するために、発明３９の煙草取引管理システムは、発明３８の煙草又はその容器に適用される煙草取引管理システムであって、前記取引履歴を前記記憶手段から取得する取引履歴取得手段と、前記取引履歴取得手段で取得した取引履歴に基づいて前記煙草の価値を算出する価値算出手段とを備える。
【００５３】
〔発明４０〕  さらに、発明４０の煙草取引管理システムは、発明３８の煙草又はその容器に適用される煙草取引管理システムであって、前記取引履歴を前記記憶手段から取得する取引履歴取得手段と、前記煙草の所有者に関する所有者情報を取得する所有者情報取得手段と、前記取引履歴取得手段で取得した取引履歴及び前記所有者情報取得手段で取得した所有者情報に基づいて、前記煙草の所有者の適正を判定する所有者適正判定手段とを備える。
【００５４】
〔発明４１〕  さらに、発明４１の煙草取引管理システムは、発明３８の煙草又はその容器に適用される煙草取引管理システムであって、前記取引履歴を前記記憶手段から取得する取引履歴取得手段と、前記取引履歴取得手段で取得した取引履歴に基づいて前記煙草の廃棄者を特定する廃棄者特定手段とを備える。
【００５５】
〔発明４２〕  一方、上記目的を達成するために、発明４２の煙草又はその容器は、記憶手段を備える煙草又はその容器に適用される煙草取引管理プログラムであって、前記煙草の取引者に関する取引者情報を取得する取引者情報取得ステップと、前記取引者情報取得ステップで取得した取引者情報を含む取引履歴を前記記憶手段に登録する取引履歴登録ステップとを含む処理をコンピュータに実行させるためのプログラムである。
【００５６】
〔発明４３〕  一方、上記目的を達成するために、発明４３の煙草取引管理プログラムは、発明３８の煙草又はその容器に適用される煙草取引管理プログラムであって、前記取引履歴を前記記憶手段から取得する取引履歴取得ステップと、前記取引履歴取得ステップで取得した取引履歴に基づいて前記煙草の価値を算出する価値算出ステップとを含む処理をコンピュータに実行させるためのプログラムである。
【００５７】
〔発明４４〕  さらに、発明４４の煙草取引管理プログラムは、発明３８の煙草又はその容器に適用される煙草取引管理プログラムであって、前記取引履歴を前記記憶手段から取得する取引履歴取得ステップと、前記煙草の所有者に関する所有者情報を取得する所有者情報取得ステップと、前記取引履歴取得ステップで取得した取引履歴及び前記所有者情報取得ステップで取得した所有者情報に基づいて、前記煙草の所有者の適正を判定する所有者適正判定ステップとを含む処理をコンピュータに実行させるためのプログラムである。
【００５８】
〔発明４５〕  さらに、発明４５の煙草取引管理プログラムは、発明３８の煙草又はその容器に適用される煙草取引管理プログラムであって、前記取引履歴を前記記憶手段から取得する取引履歴取得ステップと、前記取引履歴取得ステップで取得した取引履歴に基づいて前記煙草の廃棄者を特定する廃棄者特定ステップとを含む処理をコンピュータに実行させるためのプログラムである。
【発明の効果】
【００５９】
以上説明したように、発明１の煙草取引管理システムによれば、煙草の譲渡者及び譲受者に関する取引履歴を把握することができる。
【００６０】
さらに、発明２、５、３１若しくは３９の煙草取引管理システム、又は発明２０、３５若しくは４３の煙草取引管理プログラムによれば、取引履歴に基づく煙草の価値を把握することができる。
【００６１】
さらに、発明３、６、３２若しくは４０の煙草取引管理システム、又は発明２１、３６若しくは４４の煙草取引管理プログラムによれば、煙草の所有者の適正を把握することができる。
【００６２】
さらに、発明４、７、３３若しくは４１の煙草取引管理システム、又は発明２２、３７若しくは４５の煙草取引管理プログラムによれば、例えば煙草の購入後に他者への譲渡があっても、煙草の廃棄者を把握することができる。
【００６３】
さらに、発明８の煙草取引管理システムによれば、取引履歴が改竄等される可能性を低減することができる。
【００６４】
さらに、発明９若しくは１０の煙草取引管理システム、又は発明２８若しくは２９の煙草の生産方法によれば、サンプリング調査等の選択的又は部分的な実施を行うことができる。
【図面の簡単な説明】
【００６５】
【図１】紙巻煙草１０の構成図である。
【図２】本実施の形態に係るネットワークシステムの構成を示すブロック図である。
【図３】分散台帳ネットワーク２１の構成を示す概念図である。
【図４】煙草取引管理サーバ１００のハードウェア構成を示す図である。
【図５】取引履歴のデータ構造を示す図である。
【図６】携帯端末２００の外観構成を示す図である。
【図７】携帯端末２００の機能ブロック図である。
【図８】取引履歴を登録する場合の携帯端末２００及び煙草取引管理サーバ１００の動作を示すシーケンスフローである。
【図９】取引履歴を登録する場合の携帯端末２００及び煙草取引管理サーバ１００の動作を示すシーケンスフローである。
【図１０】紙巻煙草１０の容器の構成図である。
【発明を実施するための形態】
【００６６】
以下、本発明の実施の形態を説明する。図１乃至図９は、本実施の形態を示す図である。
【００６７】
まず、本実施の形態の構成を説明する。
図１は、紙巻煙草１０の構成図である。
本実施の形態は、紙巻煙草１０が購入された後に行われる１又は複数回の取引についてその取引履歴（以下単に「取引履歴」という。）を分散台帳に記録し、分散台帳に記録された取引履歴に基づいて紙巻煙草１０の価値を算出する場合について本発明を適用したものである。
【００６８】
紙巻煙草１０は、図１に示すように、煙草葉部１１及び煙草フィルタ部１２を有して構成されている。煙草フィルタ部１２は、煙草フィルタ繊維部１３及び煙草フィルタ紙部１４を有して構成されている。煙草フィルタ紙部１４と煙草フィルタ繊維部１３との接合面には、紙巻煙草１０を識別するための識別情報を記録したＩＣタグ１５が設けられている。識別情報は、例えば、紙巻煙草１０の生産ケース数を考慮して重複が生じない程度十分に長い整数列又は文字列等を用いてもよい。また、故意の改竄防止のために暗号化を施すようにしてもよい。また、識別情報は、紙巻煙草１０の生産過程において、紙巻煙草１０の容器に収容される一部の紙巻煙草１０に記録される。
【００６９】
図２は、本実施の形態に係るネットワークシステムの構成を示すブロック図である。
インターネット１９９には、図２に示すように、紙巻煙草１０の取引を管理する煙草取引管理サーバ１００と、携帯端末２００とインターネット１９９との通信を中継する基地局２２０とが接続されている。
【００７０】
基地局２２０には、複数の携帯端末２００が無線で接続されている。携帯端末２００は、ユーザが利用する端末であって、スマートフォン等からなる。基地局２２０は、携帯端末２００がインターネット１９９に接続するときは、携帯端末２００に代わってインターネット１９９上での一端末となって、基地局２２０を介して受信した携帯端末２００からのデータをインターネット１９９を介して目的の端末に送信するとともに、インターネット１９９上にある目的の端末のデータを基地局２２０を介して携帯端末２００に送信する。
【００７１】
煙草取引管理サーバ１００は、分散型ストレージシステムである分散レポジトリ２０を有して構成されている。そして、煙草取引管理サーバ１００は、取引履歴を記録する分散台帳ネットワーク２１に接続されている。取引履歴は、分散台帳ネットワーク２１と連動した分散レポジトリ２０で他のサーバ等と共有される。
【００７２】
次に、分散台帳ネットワーク２１の仕組みを説明する。
図３は、分散台帳ネットワーク２１の構成を示す概念図である。
【００７３】
分散台帳ネットワーク２１は、図３に示すように、分散アプリケーション（以下単に「分散アプリ」という。）にて実施されて分散台帳ネットワーク２１上のブロックチェーンに取引履歴が記録される。なお、分散台帳ネットワーク２１は、単一又は複数の分散台帳ネットワークの複数種類の台帳と分散アプリを、ＡＰＩ（Application Programming Interface）により単一分散アプリと分散台帳によるサービスとすることも可能であり、複数の分散アプリと分散台帳からなるサービスとすることも可能である。
【００７４】
システムの構成について詳述すると、取引履歴の記録は、分散台帳ノード２１ｘ（２１ａ〜ｆ）及び煙草取引管理サーバ１００上で実行される分散アプリにより実施される。
【００７５】
各分散台帳ノード２１ｘ（２１ａ〜２１ｆ）は、インターネット１９９やＰ２Ｐネットワーク等の通信ネットワーク上に多数、分散配置されたサーバやパーソナルコンピュータ、スマートフォン等の情報処理端末により実現され、各情報処理端末上で実行される分散アプリにより、ＣＰＵ（Central Processing Unit）上に機能モジュールが仮想的に構築されて、取引履歴を記録する。具体的に、分散台帳ノード２１ａ〜ｆのＣＰＵ上には、分散台帳インターフェース２２と、分散台帳制御部２３と、分散台帳記録部２４と、分散台帳通信部２５と、分散アプリ制御部２６と、分散アプリ実行部２７とを有して構成されている。
【００７６】
分散台帳インターフェース２２は、煙草取引管理サーバ１００から送信される分散アプリ起動の制御信号（図中（2））を受信する通信インターフェースである。分散アプリ制御部２６は、分散台帳制御部２３による制御に応じて、分散アプリを実行するモジュールであり、分散アプリ実行部２７によって分散アプリが実行される（図中（3））。
【００７７】
分散台帳制御部２３は、分散台帳インターフェース２２を介して行われる煙草取引管理サーバ１００との通信により、取引履歴の記録を実行する取引履歴記録部であり、分散台帳インターフェース２２における受信に応じて、分散アプリの実行及び分散台帳記録部２４における処理を制御するモジュールである。分散台帳記録部２４は、取引履歴を記録する記憶手段である。具体的に分散台帳記録部２４は、分散台帳制御部２３で実行された分散台帳の制御に関する未確定ブロック（図中（4））や、結果である確定ブロック（図中（8））を格納するモジュールである。
【００７８】
分散台帳通信部２５は、分散台帳ネットワーク２１上の他の分散台帳ノード２１ａ〜ｆとの間でデータを送受信するデータ通信インターフェースであり、取引履歴に関する未確定ブロックを他の分散台帳ノード２１ａ〜ｆに配信したり（図中（5））、他の分散台帳ノード２１ａ〜ｆで処理された確定ブロック集信したりする（図中（8））。これら集信された確定ブロックや、他へと配信される未確定ブロックは分散台帳制御部２３に対して授受される。
【００７９】
次に、煙草取引管理サーバ１００の構成を説明する。
図４は、煙草取引管理サーバ１００のハードウェア構成を示す図である。
【００８０】
煙草取引管理サーバ１００は、図４に示すように、制御プログラムに基づいて演算及び制御を行うＣＰＵ３０と、所定領域に予めＣＰＵ３０の制御プログラム等を格納しているＲＯＭ（Read Only Memory）３２と、ＲＯＭ３２等から読み出したデータやＣＰＵ３０の演算過程で必要な演算結果を格納するためのＲＡＭ（Random Access Memory）３４と、外部装置に対してデータの入出力を媒介するＩ／Ｆ（InterFace）３８とで構成されており、これらは、データを転送するための信号線であるバス３９で相互に且つデータ授受可能に接続されている。
【００８１】
Ｉ／Ｆ３８には、外部装置として、ヒューマンインターフェースとしてデータの入力が可能なキーボードやマウス等からなる入力装置４０と、データやテーブル等をファイルとして格納する記憶装置４２と、画像信号に基づいて画面を表示する表示装置４４と、インターネット１９９及び分散台帳ネットワーク２１に接続するための信号線とが接続されている。
【００８２】
次に、煙草取引管理サーバ１００で管理する取引履歴のデータ構造を説明する。
図５は、取引履歴のデータ構造を示す図である。
【００８３】
取引履歴は、図５に示すように、紙巻煙草１０の識別情報をメタ情報４００として含む。また、取引履歴は、各取引ごとに１つのレコードを有している。各レコードは、紙巻煙草１０の取引を行った日時を登録するフィールド４０２と、その取引において紙巻煙草１０を譲渡したユーザ（以下「譲渡ユーザ」という。）を識別するためのユーザＩＤを登録するフィールド４０４と、譲渡ユーザの携帯端末２００の連絡先を登録するフィールド４０６と、その取引において紙巻煙草１０を譲り受けたユーザ（以下「譲受ユーザ」という。）を識別するためのユーザＩＤを登録するフィールド４０８と、譲受ユーザの携帯端末２００の連絡先を登録するフィールド４１０とを有して構成されている。
【００８４】
次に、携帯端末２００の構成を説明する。
図６は、携帯端末２００の外観構成を示す図である。同図（ａ）は、携帯端末２００の正面図であり、同図（ｂ）は、携帯端末２００の側面図である。
【００８５】
図７は、携帯端末２００の機能ブロック図である。
携帯端末２００は、図６に示すように、正面及び背面を含むキャビネット５０を有して構成されている。キャビネット５０の正面には、タッチパネル６１が設けられている。タッチパネル６１は、画像を表示する表示部６８と、表示部６８に重ねられる検出部６９とを有して構成されている。
【００８６】
表示部６８は、液晶パネルと、液晶パネルを照明するパネルバックライトとを有して構成されている。液晶パネルは、画像を表示するための表示面６８ａを有し、表示面６８ａが外部に現れる。表示面６８ａの上に検出部６９が設けられている。なお、液晶パネルに代えて、有機ＥＬ（Electro Luminescence）パネルその他の表示素子を用いることもできる。
【００８７】
検出部６９は、タッチセンサ等からなり、透明なシート状に形成される。検出部６９を透して表示面６８ａを見ることができる。検出部６９は、マトリクス状に設けられた第１透明電極、第２透明電極及びカバーを有して構成されている。検出部６９は、第１透明電極と第２透明電極との間の静電容量の変化を検出することにより、ユーザが触れた表示面６８ａ上の位置（以下、「入力位置」という。）を検出し、その入力位置に応じた位置信号を制御部６７に出力する。なお、検出部６９は、静電容量式に限らず、超音波式、感圧式、抵抗膜式又は光検知式等を用いることもできる。
【００８８】
キャビネット５０の正面には、マイク５１及びスピーカ５２が設けられている。ユーザは、スピーカ５２からの音声を耳で捉え、マイク５１に対して音声を発することにより通話を行うことができる。
【００８９】
キャビネット５０の背面には、撮影部６４のレンズ窓（不図示）が設けられている。レンズ窓から被写体の画像が撮影部６４に取り込まれる。
【００９０】
携帯端末２００は、図７に示すように、タッチパネル６１、通信部６２、ＩＣタグリーダ６３、撮影部６４、記憶部６５、出力部６６及び制御部６７を有して構成されている。
【００９１】
表示部６８は、制御部６７の制御に従って、ユーザの操作に利用されるＧＵＩ（Graphical User Interface）等を表示する。検出部６９は、入力位置を示す座標情報を制御部６７に出力する。テキストを入力する場合は、例えば、テキストボックス等をタップすると、キーボード画像（ＧＵＩ）が表示部６８に表示され、キーボード画像に配列された文字をタップ等することによりその文字を入力することができる。その他、撮影部６４で撮影された撮影画像に基づいて文字認識処理を行ったり、マイク５１で入力した音声に基づいて音声認識処理を行ったりすることによりテキストを入力することもできる。
【００９２】
通信部６２は、携帯電話機において使用される無線通信の規格に従ってデータ通信を行い、インターネット等のネットワークを介して、サーバ等に対して情報の送信を要求する。そして、通信部６２は、サーバ等から送信されてくる情報を受信し、制御部６７に出力する。
【００９３】
ＩＣタグリーダ６３は、ＩＣタグ１５から識別情報を非接触で読み取ることができる。
撮影部６４は、ＣＣＤ（Charge Coupled Device）センサやＣＭＯＳ（Complementary Metal Oxide Semiconductor）センサ等の撮像素子を有して構成され、ユーザのシャッター操作に従って写真を撮影する。そして、撮影部６４が写真を撮影すると、制御部６７は、撮影された撮影画像を記憶部６５に記憶する。
【００９４】
記憶部６５は、不揮発性の半導体メモリ（例えば、ＥＥＰＲＯＭ（Electronically Erasable and Programmable Read Only Memory））を有して構成されている。記憶部６５は、制御部６７が実行するためのプログラム（アプリケーションソフト）、撮影部６４で撮影された撮影画像を記憶する。
【００９５】
制御部６７は、ＣＰＵ、ＲＯＭ、ＲＡＭ等をバス接続して構成されている。
次に、本実施の形態の動作を説明する。
【００９６】
まず、取引履歴を登録する場合を説明する。
図８は、取引履歴を登録する場合の携帯端末２００及び煙草取引管理サーバ１００の動作を示すシーケンスフローである。
【００９７】
ＣＰＵ３０は、ＭＰＵ（Micro-Processing Unit）等からなり、ＲＯＭ３２の所定領域に格納されている所定のプログラムを起動させ、煙草取引管理サーバ１００は、そのプログラムに従って以下の処理を実行する。また、携帯端末２００は、煙草取引管理サーバ１００との通信により取引履歴の登録等を行うアプリケーションがインストールされている。アプリケーションを起動すると、ＲＯＭの所定領域に格納されている所定のアプリケーションプログラムを起動させ、そのアプリケーションプログラムに従って以下の処理を実行する。
【００９８】
紙巻煙草１０を他のユーザから譲り受けた場合、譲受ユーザは、自己の携帯端末２００により、譲り受けた紙巻煙草１０から識別情報を読み取る。譲受ユーザの携帯端末２００では、ＩＣタグリーダ６３により紙巻煙草１０から識別情報が読み取られ（Ｓ１００）、読み取られた識別情報並びに譲受ユーザのユーザＩＤ及び連絡先とともに承認要求が煙草取引管理サーバ１００に送信される（Ｓ１０２）。
【００９９】
煙草取引管理サーバ１００では、識別情報、ユーザＩＤ及び連絡先とともに承認要求を受信すると（Ｓ１０４）、受信した識別情報を含む取引履歴が分散レポジトリ２０から取得され（Ｓ１０６）、取得された取引履歴に基づいて、最新に登録された譲受ユーザを譲渡ユーザとして、ＳＭＳ（Short Message Service）等により譲渡ユーザの携帯端末２００に承認要求が送信される（Ｓ１０８）。
【０１００】
譲渡ユーザの携帯端末２００では、承認要求を受信すると（Ｓ１１０）、紙巻煙草１０を譲渡することの承認を行うかどうかの問い合わせがタッチパネル６１に表示される（Ｓ１１２）。これに対し、譲渡ユーザが、承認する旨の応答をタッチパネル６１に入力すると、譲渡ユーザのユーザＩＤ及び連絡先とともに承認応答が煙草取引管理サーバ１００に送信される（Ｓ１１４）。なお、譲渡ユーザが、承認を行わない旨の応答をタッチパネル６１に入力すると、煙草取引管理サーバ１００に否認応答が送信される。
【０１０１】
煙草取引管理サーバ１００では、ユーザＩＤ及び連絡先とともに承認応答を受信すると（Ｓ１１６）、ステップＳ１０６で取得された取引履歴に対し、（１）現在の年月日、（２）ステップＳ１１６で受信した譲渡ユーザのユーザＩＤ及び連絡先、並びに（３）ステップＳ１０４で受信した譲受ユーザのユーザＩＤ及び連絡先を含むレコードが追加され、レコードが追加された取引履歴が分散台帳ネットワーク２１を介して分散台帳記録部２４に登録される（Ｓ１１８）。取引履歴の登録が完了すると、ステップＳ１０４で受信した譲受ユーザの連絡先に基づいて、譲受ユーザの携帯端末２００に登録完了通知がＳＭＳ等により送信される（Ｓ１２０）。
【０１０２】
譲受ユーザの携帯端末２００では、登録完了通知を受信すると（Ｓ１２２）、紙巻煙草１０の譲渡が成立したことがタッチパネル６１に表示される（Ｓ１２４）。
【０１０３】
次に、紙巻煙草１０の価値を表示する場合を説明する。
図９は、取引履歴を登録する場合の携帯端末２００及び煙草取引管理サーバ１００の動作を示すシーケンスフローである。
【０１０４】
紙巻煙草１０の価値を知りたい場合、ユーザは、自己の携帯端末２００により、所有する紙巻煙草１０から識別情報を読み取る。携帯端末２００では、ＩＣタグリーダ６３により紙巻煙草１０から識別情報が読み取られ（Ｓ１５０）、読み取られた識別情報並びにユーザのユーザＩＤ及び連絡先とともに評価要求が煙草取引管理サーバ１００に送信される（Ｓ１５２）。
【０１０５】
煙草取引管理サーバ１００では、識別情報、ユーザＩＤ及び連絡先とともに評価要求を受信すると（Ｓ１５４）、受信した識別情報を含む取引履歴が分散レポジトリ２０から取得され（Ｓ１５６）、取得された取引履歴に基づいて紙巻煙草１０の価値が算出される（Ｓ１５８）。例えば、取引に関与したユーザごとに、インターネット１９９上でそのユーザの知名度（例えば、検索エンジンでのヒット数又はランキング情報）を算出し、算出した知名度に基づいて紙巻煙草１０の価値を算出することができる。また例えば、取引に関与したユーザの数に基づいて紙巻煙草１０の価値を算出することもできる。また例えば、ユーザが死亡したら価値が上がるようにしたり、日々価値が変動するようにしたりすることもできる。また例えば、何人の有名人を経て取引されたのかによって評価を算出することもできる。その他、価値の算出方法については、公知の技術又は任意のアルゴリズムを採用することができる。
【０１０６】
煙草取引管理サーバ１００では、紙巻煙草１０の価値が算出されると、算出された価値を示す価値情報が携帯端末２００に送信される（Ｓ１６０）。
【０１０７】
携帯端末２００では、価値情報を受信すると（Ｓ１６２）、受信した価値情報に基づいて紙巻煙草１０の価値がタッチパネル６１に表示される（Ｓ１６４）。
【０１０８】
次に、本実施の形態の効果を説明する。
本実施の形態では、煙草取引管理サーバ１００は、紙巻煙草１０の識別情報及びその取引者のユーザＩＤを受信し、受信した識別情報に係る紙巻煙草１０の譲渡ユーザ及び譲受ユーザに関する取引履歴であって受信した識別情報及びユーザＩＤを含む取引履歴を分散台帳記録部２４に登録する。
【０１０９】
これにより、紙巻煙草１０の譲渡ユーザ及び譲受ユーザに関する取引履歴を把握することができる。また、分散台帳に登録されるので、取引履歴が改竄等される可能性を低減することができる。
【０１１０】
さらに、本実施の形態では、煙草取引管理サーバ１００は、識別情報を受信し、受信した識別情報に係る取引履歴を分散台帳記録部２４から取得し、取得した取引履歴に基づいて紙巻煙草１０の価値を算出する。
【０１１１】
これにより、取引履歴に基づく紙巻煙草１０の価値を把握することができる。
さらに、本実施の形態では、識別情報は、紙巻煙草１０の容器に収容される一部の紙巻煙草１０に記録される。
【０１１２】
これにより、サンプリング調査等の選択的又は部分的な実施を行うことができる。
本実施の形態において、分散台帳記録部２４は、発明１、２、５又は８の記憶手段に対応し、携帯端末２００は、発明１１の取引者端末、発明１２、１４若しくは１５の譲渡者端末、又は発明１２若しくは１６の譲受者端末に対応し、ステップＳ１０２は、発明１１、１２又は１６の識別情報等出力手段に対応している。また、ステップＳ１０４は、発明１、１１、１２又は１６の識別情報等取得手段に対応し、ステップＳ１１２、Ｓ１１４は、発明１２又は１５の承認手段に対応し、ステップＳ１１８は、発明１又は１４の取引履歴登録手段に対応している。
【０１１３】
また、本実施の形態において、ステップＳ１５４は、発明２、５、１１、１２又は１６の識別情報取得手段に対応し、ステップＳ１５６は、発明２又は５の取引履歴取得手段に対応し、ステップＳ１５８は、発明２又は５の価値算出手段に対応し、ユーザＩＤは、発明１、５、１１、１２又は１６の取引者情報に対応している。
【０１１４】
〔変形例〕
なお、上記実施の形態において、識別情報は、紙巻煙草１０の容器に収容される一部の紙巻煙草１０に記録されるようにしたが、これに限らず、市場に出荷される紙巻煙草１０のうち所定規則（例えばランダム）で選択された紙巻煙草１０に記録されるようにしてもよい。
【０１１５】
これにより、サンプリング調査等の選択的又は部分的な実施を行うことができる。
また、上記実施の形態及びその変形例においては、譲受ユーザの携帯端末２００で紙巻煙草１０から識別情報を読み取り、その後、譲受ユーザの携帯端末２００からの承認要求に応じて譲渡ユーザの携帯端末２００で承認を行うように構成したが、これに限らず、譲渡ユーザの携帯端末２００で承認を行い、その後、譲受ユーザの携帯端末２００で、承認が得られた紙巻煙草１０から識別情報を読み取るように構成することもできる。
【０１１６】
また、上記実施の形態及びその変形例においては、譲渡ユーザの携帯端末２００の承認が得られた場合は取引履歴を登録するように構成したが、これに限らず、携帯端末２００は、譲渡ユーザの承認が得られた場合は識別情報及びユーザＩＤを煙草取引管理サーバ１００に送信するように構成することもできる。
【０１１７】
また、上記実施の形態及びその変形例においては、取引履歴に基づいて紙巻煙草１０の価値を算出するように構成したが、これに限らず、次の構成を採用することができる。
【０１１８】
第１の構成は、次のとおりである。煙草取引管理サーバ１００は、携帯端末２００から識別情報を受信し、受信した識別情報に係る取引履歴を分散台帳記録部２４から取得し、紙巻煙草１０の所有者に関する所有者情報を取得し、取得した取引履歴及び所有者情報に基づいて紙巻煙草１０の所有者の適正を判定し、判定結果を示す判定結果情報を携帯端末２００に送信する。携帯端末２００は、判定結果情報を受信したときは、受信した判定結果情報に基づいて、紙巻煙草１０の所有者の適正をタッチパネル６１に表示する。
【０１１９】
これにより、紙巻煙草１０の所有者の適正を把握することができる。
第２の構成は、次のとおりである。煙草取引管理サーバ１００は、携帯端末２００から識別情報を受信し、受信した識別情報に係る取引履歴を分散台帳記録部２４から取得し、取得した取引履歴に基づいて紙巻煙草１０の廃棄者を特定し、特定した廃棄者に関する廃棄者情報を携帯端末２００に送信する。携帯端末２００は、廃棄者情報を受信したときは、受信した廃棄者情報に基づいて廃棄者をタッチパネル６１に表示する。
【０１２０】
これにより、例えば紙巻煙草１０の購入後に他者への譲渡があっても、紙巻煙草１０の廃棄者を把握することができる。
【０１２１】
また、上記実施の形態及びその変形例においては、紙巻煙草１０に識別情報を記録したが、これに限らず、図１０に示すように、紙巻煙草１０の容器１６にＩＣタグ１５を設け、ＩＣタグ１５に識別情報を記録してもよい。
【０１２２】
図１０は、紙巻煙草１０の容器の構成図である。
また、上記実施の形態及びその変形例においては、紙巻煙草１０を識別するための識別情報を採用したが、これに限らず、紙巻煙草１０の容器１６を識別するための識別情報、又は複数の紙巻煙草１０を識別するための識別情報を採用することもできる。
【０１２３】
また、上記実施の形態及びその変形例においては、携帯端末２００が識別情報及びユーザＩＤを煙草取引管理サーバ１００に送信するように構成したが、これに限らず、次の構成を採用することができる。
【０１２４】
第１の構成は、次のとおりである。紙巻煙草１０又はその容器１６は、携帯端末２００その他の記憶媒体からユーザＩＤを読み取るセンサを備え、紙巻煙草１０の取引者のユーザＩＤをセンサにより取得し、紙巻煙草１０の識別情報及びセンサで取得したユーザＩＤを煙草取引管理サーバ１００に送信する。
【０１２５】
第２の構成は、次のとおりである。携帯端末２００とは別に、ユーザが利用可能な取引管理装置を設置する。取引管理装置は、紙巻煙草１０又はその容器１６、携帯端末２００その他の記憶媒体から識別情報及びユーザＩＤを読み取るセンサを備え、紙巻煙草１０の識別情報及び紙巻煙草１０の取引者のユーザＩＤをセンサにより取得し、取得した識別情報及びユーザＩＤを煙草取引管理サーバ１００に送信する。ここで、センサは、紙巻煙草１０又は容器１６から識別情報を読み取る第１センサと、携帯端末２００その他の記憶媒体からユーザＩＤを読み取る第２センサとからなる２以上のセンサで構成してもよい。
【０１２６】
また、上記実施の形態及びその変形例においては、分散台帳記録部２４に取引履歴を登録するように構成したが、これに限らず、次の構成を採用することができる。
【０１２７】
第１の構成は、次のとおりである。紙巻煙草１０又はその容器１６は、取引履歴を記憶する記憶手段を備え、携帯端末２００がＩＣタグライタ等により記憶手段に取引履歴を書き込む。この場合、取引履歴と紙巻煙草１０又は容器１６が対応づけて記録されるので、取引履歴は、必ずしも識別情報を含まなくてもよい。
【０１２８】
第２の構成は、次のとおりである。紙巻煙草１０又はその容器１６は、取引履歴を記憶する記憶手段と、携帯端末２００その他の記憶媒体からユーザＩＤを読み取るセンサとを備え、センサで取得したユーザＩＤを含む取引履歴を記憶手段に登録する。この場合、取引履歴と紙巻煙草１０又は容器１６が対応づけて記録されるので、取引履歴は、必ずしも識別情報を含まなくてもよい。
【０１２９】
また、上記実施の形態及びその変形例においては、分散台帳ネットワーク２１上に分散台帳記録部２４を設けたが、これに限らず、取引履歴を記憶する記憶手段を紙巻煙草１０又はその容器１６に設け、各紙巻煙草１０又は各容器１６の記憶手段を分散台帳記録部として構成することができる。この場合、紙巻煙草１０又は容器１６同士が近接すると、無線通信により自己が記憶する取引履歴を相互に記録し合うように構成することができる。このため、紙巻煙草１０の取引が行われるほど、その取引過程で近接した他の紙巻煙草１０の取引履歴を保有することができるので、分散台帳の機能を比較的簡単な構成で実現することができる。また、紙巻煙草１０又は容器１６を入手すれば、その紙巻煙草１０の取引履歴だけでなく、その取引過程で近接した他の紙巻煙草１０の取引履歴まで把握することができる。取引履歴の交換は、一の紙巻煙草１０又は容器１６の取引履歴を他の紙巻煙草１０又は容器１６の記憶手段に登録するようにすれば足り、必ずしも相互に登録し合うことまでは要しない。
【０１３０】
また、上記実施の形態及びその変形例において、取引履歴は、譲渡ユーザのユーザＩＤ及び連絡先と、譲受ユーザのユーザＩＤ及び連絡先とを含んで構成したが、これに限らず、譲渡ユーザ及び譲受ユーザの一方のユーザＩＤを含んで構成すれば足りる。取引履歴に連絡先を含まない構成を採用する場合、連絡先は他のデータベースで管理すればよい。
【０１３１】
また、上記実施の形態及びその変形例においては、ユーザを識別するための情報としてユーザＩＤを採用したが、これに限らず、マイナンバその他の個人情報を採用することもできる。
【０１３２】
また、上記実施の形態及びその変形例においては、煙草取引管理サーバ１００を設けて構成したが、これに限らず、煙草取引管理サーバ１００の機能を携帯端末２００又は紙巻煙草１０若しくはその容器１６に設け、煙草取引管理サーバ１００を設けることなく構成することもできる。また、煙草取引管理サーバ１００及び携帯端末２００の機能を紙巻煙草１０又は容器１６に設け、煙草取引管理サーバ１００及び携帯端末２００を設けることなく構成することもできる。
【０１３３】
また、上記実施の形態及びその変形例においては、携帯端末２００を設けて構成したが、これに限らず、携帯端末２００の機能を煙草取引管理サーバ１００又は紙巻煙草１０若しくはその容器１６に設け、携帯端末２００を設けることなく構成することもできる。
【０１３４】
また、上記実施の形態及びその変形例においては、ネットワークシステムとして実現したが、これに限らず、単一の装置又はアプリケーションとして実現することもできる。
【０１３５】
また、上記実施の形態及びその変形例においては、インターネット１９９からなるネットワークシステムに適用した場合について説明したが、これに限らず、例えば、インターネット１９９と同一方式により通信を行ういわゆるイントラネットに適用してもよい。もちろん、インターネット１９９と同一方式により通信を行うネットワークに限らず、任意の通信方式のネットワークに適用することができる。
【０１３６】
また、上記実施の形態及びその変形例において、図８及び図９のシーケンスフローに示す処理を実行するにあたってはいずれも、ＲＯＭに予め格納されているプログラムを実行する場合について説明したが、これに限らず、これらの手順を示したプログラムが記憶された記憶媒体から、そのプログラムをＲＡＭに読み込んで実行するようにしてもよい。
【０１３７】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【０１３８】
また、上記実施の形態及びその変形例においては、紙巻煙草１０に本発明を適用したが、これに限らず、本発明の主旨を逸脱しない範囲で他の場合にも適用可能である。例えば、葉巻、パイプ、キセル、水煙草、無煙煙草、加熱式煙草、電子煙草その他の煙草に適用することもできる。また、マリファナその他の物品又は商品に適用することもできる。
【符号の説明】
【０１３９】
１０…紙巻煙草、  １１…煙草葉部、  １２…煙草フィルタ部、  １３…煙草フィルタ繊維部、  １４…煙草フィルタ紙部、  １５…ＩＣタグ、  １６…容器、  ２０…分散レポジトリ、  ２１…分散台帳ネットワーク、  ２１ｘ、２１ａ〜２１ｆ…分散台帳ノード、  ２２…分散台帳インターフェース、  ２３…分散台帳制御部、  ２４…分散台帳記録部、  ２５…分散台帳通信部、  ２６…分散アプリ制御部、  ２７…分散アプリ実行部、  １００…煙草取引管理サーバ、  ３０…ＣＰＵ、  ３２…ＲＯＭ、  ３４…ＲＡＭ、  ３８…Ｉ／Ｆ、  ３９…バス、  ４０…入力装置、  ４２…記憶装置、  ４４…表示装置、  ２００…携帯端末、  ５０…キャビネット、  ５１…マイク、  ５２…スピーカ、  ６１…タッチパネル、  ６２…通信部、  ６３…ＩＣタグリーダ、  ６４…撮影部、  ６５…記憶部、  ６６…出力部、  ６７…制御部、  ６８…表示部、  ６８ａ…表示面、  ６９…検出部、  １９９…インターネット、  ２２０…基地局、  ４００…メタ情報、  ４０２〜４１０…フィールド
【図１】
2020112916.tif 000003
【図２】
2020112916.tif 000004
【図３】
2020112916.tif 000005
【図４】
2020112916.tif 000006
【図５】
2020112916.tif 000007
【図６】
2020112916.tif 000008
【図７】
2020112916.tif 000009
【図８】
2020112916.tif 000010
【図９】
2020112916.tif 000011
【図１０】
2020112916.tif 000012
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
識別情報を取得する識別情報取得手段と、
前記識別情報が記録された物品又はその容器の当該識別情報に係る物品の取引に関する取引履歴であって当該識別情報及び当該物品の取引者に関する取引者情報を含む取引履歴を記憶する記憶手段から、前記識別情報取得手段で取得した識別情報に係る前記取引履歴を取得する取引履歴取得手段と、
前記取引履歴取得手段で取得した取引履歴に基づいて前記物品の価値を算出する価値算出手段とを備えることを特徴とする物品取引管理システム。
【請求項２】
請求項１において、
前記価値算出手段は、前記物品の取引に関与した取引者の知名度に基づいて当該物品の価値を算出することを特徴とする物品取引管理システム。
【請求項３】
請求項１及び２のいずれか１項において、
前記価値算出手段は、前記物品の取引に関与した取引者の数に基づいて当該物品の価値を算出することを特徴とする物品取引管理システム。
【請求項４】
識別情報を取得する識別情報取得手段と、
前記識別情報が記録された商品又はその容器の当該識別情報に係る商品の取引に関する取引履歴であって当該識別情報及び当該商品の取引者に関する取引者情報を含む取引履歴を記憶する記憶手段から、前記識別情報取得手段で取得した識別情報に係る前記取引履歴を取得する取引履歴取得手段と、
前記取引履歴取得手段で取得した取引履歴に基づいて前記商品の価値を算出する価値算出手段とを備えることを特徴とする商品取引管理システム。
【請求項５】
請求項４において、
前記価値算出手段は、前記商品の取引に関与した取引者の知名度に基づいて当該商品の価値を算出することを特徴とする商品取引管理システム。
【請求項６】
請求項４及び５のいずれか１項において、
前記価値算出手段は、前記商品の取引に関与した取引者の数に基づいて当該商品の価値を算出することを特徴とする商品取引管理システム。
【請求項７】
識別情報を取得する識別情報取得手段と、
前記識別情報が記録された煙草又はその容器の当該識別情報に係る煙草の譲渡者及び譲受者に関する取引履歴であって当該識別情報及び当該煙草の取引者に関する取引者情報を含む取引履歴を記憶する記憶手段から、前記識別情報取得手段で取得した識別情報に係る前記取引履歴を取得する取引履歴取得手段と、
前記取引履歴取得手段で取得した取引履歴に基づいて前記煙草の価値を算出する価値算出手段とを備えることを特徴とする煙草取引管理システム。
【請求項８】
請求項７において、
前記価値算出手段は、前記煙草の取引に関与した取引者の知名度に基づいて当該煙草の価値を算出することを特徴とする煙草取引管理システム。
【請求項９】
請求項７及び８のいずれか１項において、
前記価値算出手段は、前記煙草の取引に関与した取引者の数に基づいて当該煙草の価値を算出することを特徴とする煙草取引管理システム。
【請求項１０】
請求項７乃至９のいずれか１項において、
前記煙草の所有者に関する所有者情報を取得する所有者情報取得手段と、
前記取引履歴取得手段で取得した取引履歴及び前記所有者情報取得手段で取得した所有者情報に基づいて、前記煙草の所有者の適正を判定する所有者適正判定手段とを備えることを特徴とする煙草取引管理システム。
【請求項１１】
請求項７乃至１０のいずれか１項において、
前記取引履歴取得手段で取得した取引履歴に基づいて前記煙草の廃棄者を特定する廃棄者特定手段を備えることを特徴とする煙草取引管理システム。
【請求項１２】
請求項７乃至１１のいずれか１項において、
前記識別情報が記録された煙草又はその容器の当該識別情報及び当該煙草の取引者に関する前記取引者情報を取得する識別情報等取得手段と、
前記識別情報等取得手段で取得した識別情報に係る煙草の譲渡者及び譲受者に関する取引履歴であって当該識別情報及び前記識別情報等取得手段で取得した取引者情報を含む取引履歴を前記記憶手段に登録する取引履歴登録手段とを備えることを特徴とする煙草取引管理システム。
【請求項１３】
請求項１２において、
譲渡者が利用する譲渡者端末と、譲受者が利用する譲受者端末とを通信可能に接続し、
前記譲渡者端末は、
前記煙草の譲渡について承認を行う承認手段を有し、
前記譲受者端末は、
前記煙草又はその容器から前記識別情報を取得する識別情報取得手段と、
前記識別情報取得手段で取得した識別情報及び前記譲受者を取引者とする前記取引者情報を前記識別情報等取得手段が取得可能に出力する識別情報等出力手段とを有し、
前記譲渡者端末の承認が得られた場合に前記取引履歴が登録されることを特徴とする煙草取引管理システム。
【請求項１４】
請求項１３において、
前記識別情報等出力手段は、前記譲渡者端末の承認が得られた場合は前記識別情報及び前記取引者情報を出力することを特徴とする煙草取引管理システム。
【請求項１５】
請求項１３において、
前記取引履歴登録手段は、前記譲渡者端末の承認が得られた場合は前記取引履歴を登録することを特徴とする煙草取引管理システム。
【請求項１６】
請求項７乃至１５のいずれか１項において、
前記記憶手段は、分散台帳であることを特徴とする煙草取引管理システム。
【請求項１７】
請求項７乃至１６のいずれか１項において、
前記識別情報は、前記容器に収容される一部の煙草に記録されることを特徴とする煙草取引管理システム。
【請求項１８】
請求項７乃至１７のいずれか１項において、
前記識別情報は、市場に出荷される煙草のうち所定規則で選択された煙草に記録されることを特徴とする煙草取引管理システム。
【請求項１９】
識別情報を受信する識別情報受信手段と、
前記識別情報が記録された物品又はその容器の当該識別情報に係る物品の取引に関する取引履歴であって当該識別情報及び当該物品の取引者に関する取引者情報を含む取引履歴を記憶する記憶手段から、前記識別情報受信手段で受信した識別情報に係る前記取引履歴を取得する取引履歴取得手段と、
前記取引履歴取得手段で取得した取引履歴に基づいて前記物品の価値を算出する価値算出手段と、
前記価値算出手段で算出した価値を示す価値情報を送信する価値情報送信手段とを備える物品取引管理端末と通信可能に接続する通信端末であって、
前記物品取引管理端末に前記識別情報を送信する識別情報送信手段と、
前記物品取引管理端末から前記価値情報を受信する価値情報受信手段と、
前記価値情報受信手段で受信した価値情報に基づいて前記物品の価値を出力する価値出力手段とを備えることを特徴とする通信端末。
【請求項２０】
請求項１９において、
前記物品又はその容器から前記識別情報を取得する識別情報取得手段を備え、
前記識別情報送信手段は、前記識別情報取得手段で取得した識別情報を前記物品取引管理端末に送信することを特徴とする通信端末。
【請求項２１】
識別情報を受信する識別情報受信手段と、
前記識別情報が記録された商品又はその容器の当該識別情報に係る商品の取引に関する取引履歴であって当該識別情報及び当該商品の取引者に関する取引者情報を含む取引履歴を記憶する記憶手段から、前記識別情報受信手段で受信した識別情報に係る前記取引履歴を取得する取引履歴取得手段と、
前記取引履歴取得手段で取得した取引履歴に基づいて前記商品の価値を算出する価値算出手段と、
前記価値算出手段で算出した価値を示す価値情報を送信する価値情報送信手段とを備える商品取引管理端末と通信可能に接続する通信端末であって、
前記商品取引管理端末に前記識別情報を送信する識別情報送信手段と、
前記商品取引管理端末から前記価値情報を受信する価値情報受信手段と、
前記価値情報受信手段で受信した価値情報に基づいて前記商品の価値を出力する価値出力手段とを備えることを特徴とする通信端末。
【請求項２２】
請求項２１において、
前記商品又はその容器から前記識別情報を取得する識別情報取得手段を備え、
前記識別情報送信手段は、前記識別情報取得手段で取得した識別情報を前記商品取引管理端末に送信することを特徴とする通信端末。
【請求項２３】
識別情報を受信する識別情報受信手段と、
前記識別情報が記録された煙草又はその容器の当該識別情報に係る煙草の譲渡者及び譲受者に関する取引履歴であって当該識別情報及び当該煙草の取引者に関する取引者情報を含む取引履歴を記憶する記憶手段から、前記識別情報受信手段で受信した識別情報に係る前記取引履歴を取得する取引履歴取得手段と、
前記取引履歴取得手段で取得した取引履歴に基づいて前記煙草の価値を算出する価値算出手段と、
前記価値算出手段で算出した価値を示す価値情報を送信する価値情報送信手段とを備える煙草取引管理端末と通信可能に接続する通信端末であって、
前記煙草取引管理端末に前記識別情報を送信する識別情報送信手段と、
前記煙草取引管理端末から前記価値情報を受信する価値情報受信手段と、
前記価値情報受信手段で受信した価値情報に基づいて前記煙草の価値を出力する価値出力手段とを備えることを特徴とする通信端末。
【請求項２４】
請求項２３において、
前記煙草又はその容器から前記識別情報を取得する識別情報取得手段を備え、
前記識別情報送信手段は、前記識別情報取得手段で取得した識別情報を前記煙草取引管理端末に送信することを特徴とする通信端末。
【請求項２５】
識別情報を取得する識別情報取得ステップと、
前記識別情報が記録された物品又はその容器の当該識別情報に係る物品の取引に関する取引履歴であって当該識別情報及び当該物品の取引者に関する取引者情報を含む取引履歴を記憶する記憶手段から、前記識別情報取得ステップで取得した識別情報に係る前記取引履歴を取得する取引履歴取得ステップと、
前記取引履歴取得ステップで取得した取引履歴に基づいて前記物品の価値を算出する価値算出ステップとを含む処理をコンピュータに実行させるためのプログラムであることを特徴とする物品取引管理プログラム。
【請求項２６】
識別情報を取得する識別情報取得ステップと、
前記識別情報が記録された商品又はその容器の当該識別情報に係る商品の取引に関する取引履歴であって当該識別情報及び当該商品の取引者に関する取引者情報を含む取引履歴を記憶する記憶手段から、前記識別情報取得ステップで取得した識別情報に係る前記取引履歴を取得する取引履歴取得ステップと、
前記取引履歴取得ステップで取得した取引履歴に基づいて前記商品の価値を算出する価値算出ステップとを含む処理をコンピュータに実行させるためのプログラムであることを特徴とする商品取引管理プログラム。
【請求項２７】
識別情報を取得する識別情報取得ステップと、
前記識別情報が記録された煙草又はその容器の当該識別情報に係る煙草の譲渡者及び譲受者に関する取引履歴であって当該識別情報及び当該煙草の取引者に関する取引者情報を含む取引履歴を記憶する記憶手段から、前記識別情報取得ステップで取得した識別情報に係る前記取引履歴を取得する取引履歴取得ステップと、
前記取引履歴取得ステップで取得した取引履歴に基づいて前記煙草の価値を算出する価値算出ステップとを含む処理をコンピュータに実行させるためのプログラムであることを特徴とする煙草取引管理プログラム。
【請求項２８】
請求項１９及び２０のいずれか１項に記載の通信端末に適用されるプログラムであって、
前記物品取引管理端末に前記識別情報を送信する識別情報送信ステップと、
前記物品取引管理端末から前記価値情報を受信する価値情報受信ステップと、
前記価値情報受信ステップで受信した価値情報に基づいて前記物品の価値を出力する価値出力ステップとを含む処理を前記通信端末に実行させるためのプログラムであることを特徴とする通信端末用プログラム。
【請求項２９】
請求項２１及び２２のいずれか１項に記載の通信端末に適用されるプログラムであって、
前記商品取引管理端末に前記識別情報を送信する識別情報送信ステップと、
前記商品取引管理端末から前記価値情報を受信する価値情報受信ステップと、
前記価値情報受信ステップで受信した価値情報に基づいて前記商品の価値を出力する価値出力ステップとを含む処理を前記通信端末に実行させるためのプログラムであることを特徴とする通信端末用プログラム。
【請求項３０】
請求項２３及び２４のいずれか１項に記載の通信端末に適用されるプログラムであって、
前記煙草取引管理端末に前記識別情報を送信する識別情報送信ステップと、
前記煙草取引管理端末から前記価値情報を受信する価値情報受信ステップと、
前記価値情報受信ステップで受信した価値情報に基づいて前記煙草の価値を出力する価値出力ステップとを含む処理を前記通信端末に実行させるためのプログラムであることを特徴とする通信端末用プログラム。
【請求項３１】
識別情報取得手段が、識別情報を取得する識別情報取得ステップと、
取引履歴取得手段が、前記識別情報が記録された物品又はその容器の当該識別情報に係る物品の取引に関する取引履歴であって当該識別情報及び当該物品の取引者に関する取引者情報を含む取引履歴を記憶する記憶手段から、前記識別情報取得ステップで取得した識別情報に係る前記取引履歴を取得する取引履歴取得ステップと、
価値算出手段が、前記取引履歴取得ステップで取得した取引履歴に基づいて前記物品の価値を算出する価値算出ステップとを含むことを特徴とする物品取引管理方法。
【請求項３２】
識別情報取得手段が、識別情報を取得する識別情報取得ステップと、
取引履歴取得手段が、前記識別情報が記録された商品又はその容器の当該識別情報に係る商品の取引に関する取引履歴であって当該識別情報及び当該商品の取引者に関する取引者情報を含む取引履歴を記憶する記憶手段から、前記識別情報取得ステップで取得した識別情報に係る前記取引履歴を取得する取引履歴取得ステップと、
価値算出手段が、前記取引履歴取得ステップで取得した取引履歴に基づいて前記商品の価値を算出する価値算出ステップとを含むことを特徴とする商品取引管理方法。
【請求項３３】
識別情報取得手段が、識別情報を取得する識別情報取得ステップと、
取引履歴取得手段が、前記識別情報が記録された煙草又はその容器の当該識別情報に係る煙草の譲渡者及び譲受者に関する取引履歴であって当該識別情報及び当該煙草の取引者に関する取引者情報を含む取引履歴を記憶する記憶手段から、前記識別情報取得ステップで取得した識別情報に係る前記取引履歴を取得する取引履歴取得ステップと、
価値算出手段が、前記取引履歴取得ステップで取得した取引履歴に基づいて前記煙草の価値を算出する価値算出ステップとを含むことを特徴とする煙草取引管理方法。
【請求項３４】
請求項１９及び２０のいずれか１項に記載の通信端末が行う価値出力方法であって、
識別情報送信手段が、前記物品取引管理端末に前記識別情報を送信する識別情報送信ステップと、
価値情報受信手段が、前記物品取引管理端末から前記価値情報を受信する価値情報受信ステップと、
価値出力手段が、前記価値情報受信ステップで受信した価値情報に基づいて前記物品の価値を出力する価値出力ステップとを含むことを特徴とする価値出力方法。
【請求項３５】
請求項２１及び２２のいずれか１項に記載の通信端末に適用されるプログラムであって、
識別情報送信手段が、前記商品取引管理端末に前記識別情報を送信する識別情報送信ステップと、
価値情報受信手段が、前記商品取引管理端末から前記価値情報を受信する価値情報受信ステップと、
価値出力手段が、前記価値情報受信ステップで受信した価値情報に基づいて前記商品の価値を出力する価値出力ステップとを含むことを特徴とする価値出力方法。
【請求項３６】
請求項２３及び２４のいずれか１項に記載の通信端末に適用されるプログラムであって、
識別情報送信手段が、前記煙草取引管理端末に前記識別情報を送信する識別情報送信ステップと、
価値情報受信手段が、前記煙草取引管理端末から前記価値情報を受信する価値情報受信ステップと、
価値出力手段が、前記価値情報受信ステップで受信した価値情報に基づいて前記煙草の価値を出力する価値出力ステップとを含むことを特徴とする価値出力方法。